(57)【要約】【課題】引出し前板又は扉に取り付けられる取っ手の操作性を向上させ、コストの低減を図ることができるシステムキッチンを提供すること。【解決手段】システムキッチン１における引出し１１の前板１２又は扉１２の全幅に亘って設けられた取っ手５０に、タオル掛け４０をスライド可能に取り付けたシステムキッチン１において、タオル掛け４０の取付部４１に設けられた係合部４５と、取っ手５０の前板１２若しくは扉１２の上端１２ｃに接する上面部５１、又は取っ手５０の前板１２若しくは扉１２の前方に位置する操作面部５２に設けられた被係合部５５と、を備え、係合部４５が被係合部５５に係合してタオル掛け４０をスライド可能に保持することを特徴とする。【選択図】図２
2014188343.tif 000002
【特許請求の範囲】
【請求項１】
引出し及び扉の少なくとも一方が設けられたキャビネットを含むシステムキッチンにおいて、
前記引出し及び扉を構成する面材の上端面に、前記面材の幅と略同じ長さに設けられるものであって、前記面材の上端に接する上面部と、前記面材の前方に位置する前記上面部の前端から、前記面材の前面と離隔し下方に延びる操作面部と、を有する取っ手と、
前記取っ手にスライド可能に取り付けられる取付部と、前記取付部から前方に突出してタオルを掛ける引掛部と、を有するタオル掛けと、を備え、
前記上面部又は前記操作面部の裏面に被係合部を設けると共に、前記取付部には前記被係合部に係合する係合部を設け、
前記被係合部と前記係合部とが係合して前記タオル掛けを左右方向にスライド可能に保持することを特徴とするシステムキッチン。
【請求項２】
前記取付部の前記面材側に対向する面を前記面材に接触させた状態で、前記タオル掛けが前記取っ手に保持されることを特徴とする請求項１に記載のシステムキッチン。
【請求項３】
前記タオル掛けは、前記面材と接触せずに、前記被係合部と前記係合部との係合のみで保持されることを特徴とする請求項１に記載のシステムキッチン。
【請求項４】
前記係合部及び前記被係合部のうちの一方は、他方に向かって突出するリブの一部を拡径した拡径部を有し、他方は前記拡径部に嵌合する溝を有することを特徴とする請求項３に記載のシステムキッチン。
【請求項５】
前記被係合部は、前記上面部及び前記操作面部の裏面に設けられ、前記取付部を前後から保持する２条のリブであることを特徴とする請求項３に記載のシステムキッチン。
【発明の詳細な説明】
【技術分野】
【０００１】
本発明は、キャビネットにおける引出しの前板又は扉の上端に取っ手を設け、この取っ手にタオル掛けをスライド可能に取り付けたシステムキッチンに関するものである。
【背景技術】
【０００２】
システムキッチンや洗面台等におけるキャビネットの引出し前板又は扉の上端に取っ手を設け、この取っ手にタオル掛けをスライド可能に取り付けたものとして、下記特許文献１に記載されたものが提案されている。下記特許文献１に記載された扉は、その上端面に全幅に渡ってレールが設けられ、そのレールに係合する引っ掛け具を設けることで、タオル掛けを保持するものである。このレールは、取っ手としても機能するものである。
【先行技術文献】
【特許文献】
【０００３】
【特許文献１】特開２００９−４１３６４号公報
【発明の概要】
【発明が解決しようとする課題】
【０００４】
ところで、上記特許文献１に記載の扉が用いられるシステムキッチンでは、天板（カウンター）の前方には前垂れがある。キャビネットにおける引出し前板や扉の厚みは、前垂れの厚みより薄いため、キャビネットにおける引出し前板や扉の前端は、カウンターの前端よりも後方に位置している。そして、レールは、上述したように、引出し前板や扉の上端に設けられることから、取っ手として機能するレールはカウンターの前端よりも後方（奥側）に位置するものとなっている。このため、レールの持ち手部分がカウンターの前垂れより奥側に位置することとなり、加えて、レールはカウンターにおける前垂れの下方に近接して設けられていることから、取っ手としてのレールの引出し操作がしにくいという課題があった。
【０００５】
一方、システムキッチンに取り付ける取っ手として、レール状の取っ手の他に、引出しの前板又は扉の正面に取り付けるグリップ取っ手を選択する場合がある。グリップ取っ手は、前板又は扉の正面にブリッジ状を成すように取り付けられ、タオル掛けとしても利用することが可能なものである。レール状の取っ手は引出し前板又は扉の上端に取り付けるため、グリップ取っ手を取り付ける場合よりもレールの高さ分、引出し前板又は扉の高さを低くする必要がある。このため、システムキッチンに取り付ける取っ手の種類に応じて、引出し前板又は扉の高さを変えなければならず、引出し前板又は扉の材料コストが増加してしまう課題もあった。
【０００６】
本発明はこのような課題に鑑みてなされたものであり、その目的は、キャビネットにおける引出し前板又は扉に取り付けられる取っ手の操作性を向上させることができ、前板又は扉の面材サイズの共通化を図ることでコストの低減を図ることができると共に、取っ手にタオル掛けを取り付けることが可能なシステムキッチンを提供することにある。
【課題を解決するための手段】
【０００７】
本発明に係るシステムキッチンでは、引出し及び扉の少なくとも一方が設けられたキャビネットを含むシステムキッチンであって、引出し及び扉を構成する面材の上端面に、面材の幅と略同じ長さに設けられるものであって、面材の上端に接する上面部と、面材の前方に位置する上面部の前端から、面材の前面と離隔し下方に延びる操作面部と、を有する取っ手と、取っ手にスライド可能に取り付けられる取付部と、取付部から前方に突出してタオルを掛ける引掛部と、を有するタオル掛けと、を備え、上面部又は操作面部の裏面に被係合部を設けると共に、取付部には被係合部に係合する係合部を設け、被係合部と係合部とが係合してタオル掛けを左右方向にスライド可能に保持することを特徴とする。
【０００８】
本発明では、取っ手の操作面部が、引出しの前板又は扉の前方に位置しているので、引出しの前板又は扉の上端に取っ手が位置する場合よりも、取っ手の操作性を向上させることができる。また、取っ手の上面部は、引出しの前板又は扉の上端に接して設けられ、取っ手の上面部又は操作面部には、被係合部が設けられている。そして、被係合部がタオル掛けにおける取付部の係合部と係合して、タオル掛けを保持している。このため、取っ手の上面とカウンターの下端とを近づけることができるので、取っ手とカウンターとの間に隙間が生じることを抑制することができる。その結果、システムキッチン全体の意匠性を向上させることができる。さらに、システムキッチンに取り付ける取っ手として、本発明の取っ手を採用した場合であっても、取っ手の高さ分、前板又は扉の高さを低くする必要がない。このため、システムキッチンに取り付ける取っ手として、本発明の取っ手又は従来のグリップ取っ手のいずれを選択したとしても、引出しの前板又は扉の高さは変わらないことになる。その結果、取っ手の種類に応じて、引出しの前板又は扉の材料寸法を変更する必要がなくなるので、コストの低減を図ることができる。
【０００９】
また本発明に係るシステムキッチンにおいて、取付部の面材側に対向する面を面材に接触させた状態で、タオル掛けが取っ手に保持されることも好ましい。
【００１０】
この好ましい態様では、引出しの前板又は扉の前面を利用してタオル掛けをスライド可能に保持することができる。このため、取っ手の被係合部やタオル掛けの係合部を簡易な形状にしてタオル掛けをスライド可能に支持することができるので、製造コストの低減を図ることができる。
【００１１】
また本発明に係るシステムキッチンにおいて、タオル掛けは、面材と接触せずに、被係合部と係合部との係合のみで保持されることも好ましい。
【００１２】
この好ましい態様では、タオル掛けが引出しの前板又は扉の表面を擦らないので、前板又は扉の表面に傷がつくことを防ぐことができる。
【００１３】
また本発明に係るシステムキッチンにおいて、係合部及び被係合部のうちの一方は、他方に向かって突出するリブの一部を拡径した拡径部を有し、他方は拡径部に嵌合する溝を有することも好ましい。
【００１４】
この好ましい態様では、係合部及び被係合部のうちの一方に、他方に向かって突出するリブの一部を拡径した拡径部を設け、他方に拡径部に嵌合する溝を設けている。このため、被係合部と係合部のみで、取っ手がタオル掛けをスライド可能に保持することができる。
【００１５】
また本発明に係るシステムキッチンにおいて、被係合部は、上面部及び操作面部の裏面に設けられ、取付部を前後から保持する２条のリブであることも好ましい。
【００１６】
この好ましい態様では、取っ手に設けられた２条のリブで、タオル掛けの取付部を挟持することができるので、タオル掛けのスライドに抵抗を感じにくくすることができる。
【発明の効果】
【００１７】
本発明によれば、キャビネットにおける引出し前板又は扉に取り付けられる取っ手の操作性を向上させることができるシステムキッチンを提供することができる。また、システムキッチンに取り付ける取っ手の種類に応じて、引出し前板又は扉の高さを変える必要がないため、引出し前板又は扉のコストの低減を図ることができるシステムキッチンを提供することができる。
【図面の簡単な説明】
【００１８】
【図１】本発明の実施形態に係るシステムキッチンの構成を概略的に示す斜視図である。
【図２】図１のＡ方向から見た側面図である。
【図３】本発明の第２実施形態に係るシステムキッチンを示す側面図である。
【図４】本発明の第３実施形態に係るシステムキッチンを示す側面図である。
【図５】本発明の第４実施形態に係るシステムキッチンを示す側面図である。
【発明を実施するための形態】
【００１９】
以下、本発明の実施形態について添付図面を参照しながら説明する。図１は、本発明の実施形態におけるシステムキッチン１を概略的に示す斜視図である。
【００２０】
システムキッチン１は、複数の収納庫（キャビネット）を備えている。複数の収納庫は、システムキッチン１に向かって右側から順に、シンクキャビネット１０と、ベースキャビネット２０と、レンジキャビネット３０とから構成されている。シンクキャビネット１０、ベースキャビネット２０及びレンジキャビネット３０は、その高さ及び奥行を等しくして設けられている。また、シンクキャビネット１０、ベースキャビネット２０及びレンジキャビネット３０には、それぞれ高さが等しいスライド式の引出し１１又は扉が上下２つずつ設けられている。
【００２１】
続いて、図２を参照しながらシステムキッチン１に設けられる取っ手５０と、取っ手５０に取り付けられるタオル掛け４０について更に説明する。図２は、図１のＡ方向から見た側面図であって、取っ手５０の被係合部５５がタオル掛け４０の係合部４５に係合している様子を示す図である。
【００２２】
取っ手５０は、引出し１１の前板１２又は扉１２の上端１２ｃと、カウンター１５の下端１５ｂとの間に設けられている。取っ手５０は、引出しの前板又は扉と横幅が同じ寸法で形成され、システムキッチン１全体で取っ手５０が一本に繋がるように設けられている。取っ手５０は、上面部５１と、操作面部５２と、背面部５３とから構成される。上面部５１は、引出し１１の前板１２又は扉１２の上端１２ｃに接し、カウンター１５の下端１５ｂに近接して設けられている。操作面部５２は、引出し１１の前板１２又は扉１２の前方に位置する上面部５１の前端５１ａから、前板１２又は扉１２の前面１２ａと離隔しながら下降するように延びて設けられている。背面部５３は、上面部５１における後方に位置する後端５１ｂから、引出し１１の前板１２又は扉１２の背面１２ｂに接して下降するように延びて設けられている。
【００２３】
また、上面部５１又は操作面部５２の裏面５４には、被係合部５５が設けられている。被係合部５５は、上面部５１又は操作面部５２の裏面５４から突出する突起で形成されている。被係合部５５が、後述するタオル掛け４０の係合部４５と係合することで、タオル掛け４０を保持することができる。被係合部５５は、例えば操作面部５２の裏面５４の上部に設けることができる。このように構成することにより、指を取っ手５０の操作面部５２と前板１２又は扉１２との間に入れた場合でも、指先に被係合部５５が触れないようにすることができる。
【００２４】
なお、取っ手５０の前端５０ａは、カウンター１５の前端１５ａと一致している。換言すれば、取っ手５０の前端５０ａは、カウンター１５の前端１５ａより前方に飛び出さないように形成されている。このため、調理や洗い物をする際に、取っ手５０に衣類が引っかかったり、体がぶつかったりすることを抑制することができ、操作性が良好となる。また、取っ手５０は、システムキッチン１全体の横幅に一本に繋がって見えるため、システムキッチン１全体の意匠性を向上させることができる。
【００２５】
また、本発明の取っ手５０は、コストの増加を抑えることができる。本発明の取っ手５０は、引出し１１の前板１２又は扉１２の上端１２ｃに設けられている。また、取っ手５０は、前板１２又は扉１２の全幅に亘って設けられている。このため、前板１２又は扉１２の上端１２ｃが露出しないので、上端に縁張り材を張る必要がなくなる。その結果、縁張り工程の削減をすることができるのでコストの低減を図ることができる。
【００２６】
また、従来の取っ手である、レール状の取っ手では、レール状の取っ手の高さ分、引出し１１の前板１２又は扉１２の高さを低くする必要がある。このため、グリップ取っ手又はレール状の取っ手のうち、選択した取っ手の種類に応じて、前板１２又は扉１２の材料寸法を変える必要がでてくるので、材料コストの増加の要因となっていた。
【００２７】
これに対し、本発明の取っ手５０は、その上面部５１が引出し１１の前板１２又は扉１２の上端１２ｃに接して設けられている。このため、取っ手５０の高さ分、引出し１１の前板１２又は扉１２の高さを低くする必要がない。その結果、本発明の取っ手又はグリップ取っ手のいずれを選択したとしても、前板１２又は扉１２の寸法は同一となるため、材料コストの低減を図ることができる。
【００２８】
次に、タオル掛け４０について説明する。図２に示すように、タオル掛け４０は、引出し１１の前板１２又は扉１２の前方に位置している。タオル掛け４０は、取付部４１と、引っ掛け部４２とを備えている。取付部４１上部における操作面部５２側の面４１ａには、取っ手５０の被係合部５５に係合する係合部４５が形成されている。係合部４５は、取付部４１の表面から凹んだ形状を有し、取っ手５０の被係合部５５に係合する形状を有している。そして、取付部４１の下部には、引っ掛け部４２が繋がっている。引っ掛け部４２は、タオル７０を掛けることができるバー（図示せず）を有している。
【００２９】
そして、取っ手５０の被係合部５５が、タオル掛け４０の係合部４５と係合し、取付部４１の前板１２側又は扉１２側の面４１ｂを、前板１２又は扉１２に接触させた状態で、取っ手５０はタオル掛け４０を横方向にスライド可能に支持している。
【００３０】
このように、引出し１１の前板１２又は扉１２の表面を利用してタオル掛けをスライド可能に保持することができる。このため、取っ手５０の被係合部５５やタオル掛け４０の係合部４５を簡易な形状にしてタオル掛け４０をスライド可能に支持することができるので、製造コストの低減を図ることができる。
【００３１】
上述したように、タオル掛け４０の取付部４１は、前板１２又は扉１２の前面１２ａに接触する。このため、取付部４１の下部の裏面４１ｂには、キズ防止部材４９が設けられ、キズ防止部材４９が引出し１１の前板１２又は扉１２に接触するようになっている。キズ防止部材４９のうち、引出し１１の前板１２又は扉１２に接触する面には、衝撃吸収部材又は滑り性の良い材料シート等が貼られている。キズ防止部材４９には、タオル掛け４０にタオル７０を掛けるなど下方向の荷重を付与したとき、取付部４１の係合部４５を支点として引出し１１の奥行方向（図２の右方向）への摩擦力が生じるようになっている。このようなキズ防止部材４９に生じる摩擦力により、タオル掛け４０の取付部４１は、取っ手５０と係合してタオル掛け４０が脱落しないようになっている。
【００３２】
タオル掛け４０の取付部４１が、前板１２又は扉１２と非接触の状態で、取っ手５０がタオル掛け４０を保持するように構成しても良い。換言すれば、取付部４１の係合部４５が、取っ手５０の被係合部５５に係合するのみでタオル掛け４０を保持するように構成しても良い。このように構成することで、タオル掛け４０のスライド時に、タオル掛け４０の取付部４１が、前板１２又は扉１２の表面を摺らないので、前板１２又は扉１２の表面に傷がつくことを防ぐことができる。このように扉１２と非接触の状態で、取っ手がタオル掛けを保持する実施形態を以下に例示する。
【００３３】
続いて、図３を参照しながら、本発明の第２実施形態におけるシステムキッチンについて説明する。図３は、図２に相当する側面図であり、システムキッチン１における係合部４５と被係合部５５の形状を変化させたもので、それ以外の構成及び機能はシステムキッチン１と略同等である。
【００３４】
図３に示すように、係合部４５Ａは、取付部４１Ａの操作面部５２Ａ側に、前方（図３の左側）に突出するリブを備え、このリブの一部を拡径した拡径部４６を有している。拡径部４６は、リブの一部の直径を拡大することで形成されている。また、取っ手５０Ａの操作面部５２Ａの裏面５４ｂには、係合部４５Ａに対応する形状の溝である被係合部５５Ａが設けられている。このように構成することにより、係合部４５Ａと被係合部５５Ａの係合のみで、タオル掛け４０Ａを保持することができるので、取っ手５０Ａの裏面５４のみでタオル掛け４０Ａをスライドさせることができる。なお、操作面部５２Ａの裏面から後方に向かって突出するリブで被係合部を構成し、このリブに嵌合する溝により取付部を構成しても良い。
【００３５】
続いて、図４を参照しながら、本発明の第３実施形態におけるシステムキッチンについて説明する。図４は、図２に相当する側面図であり、システムキッチン１における係合部４５と被係合部５５の形状を変化させたもので、それ以外の構成及び機能はシステムキッチン１と略同等である。
【００３６】
図４に示すように、取っ手５０Ｂには、その上面部５１Ｂ及び操作面部５２Ｂの裏面５４ａ，５４ｂに、２条のリブで形成された被係合部５５Ｂａ，５５Ｂｂが形成されている。被係合部５５Ｂのうち、上面部５１Ｂに形成されたリブ５５Ｂａは、上面部５１Ｂの裏面５４ａから下方に向かって突出するように形成されている。被係合部５５Ｂのうち、操作面部５２Ｂに形成されたリブ５５Ｂｂは、操作面部５２Ｂの裏面５４ｂから後方に向かって突出するように形成されている。取付部４１Ｂには、２条のリブ５５Ｂａ、５５Ｂｂに対応するように、その上面部５１Ｂ側及び操作面部５２Ｂ側に、溝で形成された係合部４５Ｂａ，４５Ｂｂを有している。このように構成することで、取っ手５０Ｂが取付部４１Ｂを挟持した状態でスライドさせることができるので、タオル掛け４０Ｂのスライドに抵抗を感じにくくすることができる。
【００３７】
続いて、図５を参照しながら、本発明の第４実施形態におけるシステムキッチンについて説明する。図５は、図２に相当する側面図であり、システムキッチン１における係合部４５と被係合部５５の形状を変化させたもので、それ以外の構成及び機能はシステムキッチン１と同じである。
【００３８】
図５に示すように、取付部４１Ｃは、その上部のみを厚くした先太り形状を成すように、係合部４５Ｃａ，４５Ｃｂを有している。取っ手５０Ｃの被係合部５５Ｃは、２条のリブ５５Ｃａ、５５Ｃｂで形成されている。２条のリブ５５Ｃａ、５５Ｃｂは、上面部５１Ｃ及び操作面部５２Ｃの裏面５４から取付部４１Ｃに向かって突出するように設けられ、取付部４１Ｃの先太りした部分である、係合部４５Ｃａ，４５Ｃｂを前後から挟持するようになっている。このように構成することで、取っ手５０Ｃが取付部４１Ｃを挟持した状態でスライドさせることができるので、タオル掛け４０Ｃのスライドに抵抗を感じにくくすることができる。
【００３９】
以上、本発明の実施例を説明したが、これは本発明の説明のための例示であって、本発
明の範囲をこの実施例にのみ限定する趣旨ではない。本発明は、他の種々の実施例でも実
施することが可能である。
【符号の説明】
【００４０】
１：システムキッチン
１５：カウンター
１２：前板
５０：取っ手
５１：上面部
５２：操作面部
５３：背面部
５５：被係合部
４１：取付部
４２：引っ掛け部
４５：係合部
４６：拡径部
４９：キズ防止部材
７０：タオル
【図２】
2014188343.tif 000003
【図３】
2014188343.tif 000004
【図４】
2014188343.tif 000005
【図５】
2014188343.tif 000006
【図１】
2014188343.tif 000007